(57)【要約】【課題】レーザ受信装置とレーザ送信装置とを機能的に分離することなく構成でき、種々の条件で被害状況を仮想的に模擬できるレーザ送受信装置を提供する。【解決手段】建物５０の外部にレーザ受信装置３０、内部にレーザ送信装置４０を配置する。外部から銃器を模擬したレーザ光線をレーザ受信装置３０に発射する。レーザ受信装置３０は、レーザ光線を受光部３１で受光し、受光信号を制御部３２へ出力する。制御部３２は、受光信号を解析してレーザ送信装置４０のレーザ光線発射部４１ａ〜４１ｃに発射信号を出力する。制御部３２は、受光信号が高レベルの場合にはレーザ送信装置４０の全てのレーザ光線発射部４１ａ〜４１ｃを駆動し、受光信号が低レベルの場合には、レーザ光線発射部４１ａ〜４１ｃの何れか１箇所を駆動してレーザ光線を発射させ、建物５０内に配置した受光器により受光させて被弾したことによる損害の程度を模擬する。【選択図】図１
2007212087.tif 000002
【特許請求の範囲】
【請求項１】
銃器を模擬したレーザ光線を受光する受光部及び前記受光部により受光したレーザ光線を解析し、前記銃器による被弾状態を判別する制御部からなるレーザ受信装置と、前記制御部によってレーザ光線の発射が制御される複数のレーザ光線発射部からなるレーザ送信装置と、前記レーザ送信装置から発射されるレーザ光線を受光する複数の受光器とを具備し、
前記制御部は、判別した被弾状態に応じて前記レーザ送信装置に設けられているレーザ光線発射部の発射駆動数を制御することを特徴とするレーザ送受信装置。
【発明の詳細な説明】
【技術分野】
【０００１】
本発明は、建物が例えばロケット弾等により損傷を受けた際の建物内に居る人の被害状況をレーザ光線を利用して仮想的に模擬するレーザ送受信装置に関する。
【背景技術】
【０００２】
従来、レーザ光線を利用して、ある状態を仮想的に模擬する装置としては、例えば射撃用のレーザ光を検知するためのレーザ受信器を備えた射撃訓練装置が知られている（例えば、特許文献１参照。）。この射撃訓練装置は、射撃側からレーザ光によって目標である車両を射撃し、車両に搭載されたレーザ受信器の受光器にレーザ光が命中すると、命中した位置の受光器は信号処理器からの信号に基づいて発光部を発光させ、且つ発煙部を発煙させるように構成されている。上記射撃訓練装置によれば、射撃側は、どの部位に命中したかが分かり、次の射撃に対して照準位置の補正動作を行うことができる。
【０００３】
また、従来、建物が例えばロケット弾等により損傷を受けた際の被害状況をレーザ光線を利用して仮想的に模擬するレーザ送受信装置としては、例えば図２に示すように構成されたものが考えられている。図２において、１０は建物（図示せず）の外に設置されるレーザ受信装置、２０は建物の中に設置されるレーザ送信装置である。また、建物内には、レーザ送信装置２０から発射されるレーザ光線を受光する受光器が複数設けられる。
【０００４】
上記レーザ受信装置１０は、外部からのレーザ光線を受光する受光部１１及び、この受光部１１で受光されたレーザ光線に基づいて被弾通知を行う制御部１２により構成される。受光部１１は、外部からのレーザ光線を受光すると、受光信号を制御部１２へ出力する。制御部１２は、受光部１１から受光信号が送られてくると、例えば電子ブザー１３を駆動して音による被弾通知を行うと共に、ＬＥＤやライト等の発光部１４を駆動して光による被弾通知を行う。
【０００５】
また、レーザ送信装置２０は、レーザ光線発射部２１を備え、外部からレーザ光線発射信号（トリガ信号）が入力される。レーザ光線発射部２１は、外部から発射信号が入力されると、電子ブザー２２を駆動して音による発射模擬を行い、同時にレーザ光線を発射する。建物内に配置されている複数の受光器は、レーザ光線発射部２１から発射されたレーザ光線を受光してＬＥＤ等を発光させ、被害状況を仮想的に模擬する。
【特許文献１】特開２００２−３４０４９８号公報
【発明の開示】
【発明が解決しようとする課題】
【０００６】
上記従来のレーザ送受信装置は、レーザ受信装置１０とレーザ送信装置２０が機能的に分離しており、ロケット弾を模擬するレーザ光線をレーザ受信装置１０に発射すると同時に発射信号をレーザ送信装置２０に入力しなければならないという問題がある。
【０００７】
また、レーザ送信装置２０には、１個のレーザ光線発射部２１が設けられているだけであり、種々な状況に応じた被害状況を模擬することができない。
【０００８】
本発明は上記の課題を解決するためになされたもので、レーザ受信装置とレーザ送信装置とを機能的に分離することなく構成でき、且つ種々の条件で被害状況を仮想的に模擬できるレーザ送受信装置を提供することを目的とする。
【課題を解決するための手段】
【０００９】
本発明は、銃器を模擬したレーザ光線を受光する受光部及び前記受光部により受光したレーザ光線を解析し、前記銃器による被弾状態を判別する制御部からなるレーザ受信装置と、前記制御部によってレーザ光線の発射が制御される複数のレーザ光線発射部からなるレーザ送信装置と、前記レーザ送信装置から発射されるレーザ光線を受光する複数の受光器とを具備し、前記制御部は、判別した被弾状態に応じて前記レーザ送信装置に設けられているレーザ光線発射部の発射駆動数を制御することを特徴とする。
【発明の効果】
【００１０】
本発明によれば、銃器を模擬したレーザ光線により建物が損傷した場合、建物の被害状況を仮想的に示すことができ、また、レーザ受信装置とレーザ送信装置とを機能的に分離することなく構成することができる。
【発明を実施するための最良の形態】
【００１１】
以下、図面を参照して本発明の一実施形態を説明する。  
図１は、建物が例えばロケット弾等により損傷を受けた際に、建物内に居る人の被害状況をレーザ光線を利用して仮想的に模擬するレーザ送受信装置の構成図である。
【００１２】
図１において、３０は建物５０の外に設置されるレーザ受信装置、４０は建物５０の中に設置されるレーザ送信装置である。
【００１３】
上記レーザ受信装置３０には、外部に設けられたレーザ送信装置（図示せず）からロケット弾を模擬したレーザ光線が発射される。レーザ受信装置３０は、上記外部からのレーザ光線を受光する受光部３１及び、この受光部３１で受光された信号レベルを解析し、その解析結果に基づいてレーザ送信装置４０に発射信号を出力する制御部３２により構成される。また、制御部３２は、受光部３１から受光信号が送られてきた際、必要に応じて例えば電子ブザー、ＬＥＤ等を駆動し、音及び光により被弾したことを表示する。
【００１４】
また、レーザ送信装置４０は、複数例えば３個のレーザ光線発射部４１ａ〜４１ｃを備えており、上記レーザ受信装置３０の制御部３２から出力される発射信号によってレーザ光線を発射する。
【００１５】
上記レーザ受信装置３０の受光部３１は、受光したレーザ光線の光エネルギーを任意のしきい値により、複数種類のレベル例えば２種類のレベル（高レベル／低レベル）に識別可能であり、その受光信号を制御部３２へ出力する。制御部３２は、受光部１１から受光信号が送られてくると、この受光信号を解析し、その信号レベルを判別、例えば高レベルであるか低レベルであるかを判別し、その信号レベルに応じてレーザ送信装置４０を駆動する。
【００１６】
すなわち、制御部３２は、受光部３１の受光信号が高レベルの場合には例えばレーザ送信装置４０の全てのレーザ光線発射部４１ａ〜４１ｃへ発射信号をトリガ信号として送り、各レーザ光線発射部４１ａ〜４１ｃからレーザ光線を発射させる。また、制御部３２は、受光部３１の受光信号が低レベルの場合には、レーザ光線発射部４１ａ〜４１ｃの一部例えば何れか１箇所へ発射信号を送り、レーザ光線を発射させる。また、上記レーザ光線発射部４１ａ〜４１ｃは、制御部３２から発射信号が与えられた際、レーザ光線を発射すると同時に必要に応じて電子ブザー等を駆動し、レーザ光線が発射されたことを音により通知する。
【００１７】
また、建物５０内には、それぞれレーザ光線の受光器を所持した複数の人が配置される。これらの人々が所持した受光器は、上記レーザ光線発射部４１ａ〜４１ｃから発射されたレーザ光線を受光することによって発光し、建物５０が被弾したことによる損害の程度を模擬する。
【００１８】
上記の構成において、外部に設けられたレーザ送信装置（図示せず）からロケット弾を模擬したレーザ光線が高レベルあるいは低レベルでレーザ受信装置３０に向けて発射される。レーザ受信装置３０は、上記レーザ光線を受光部３１で受光すると、その信号レベルを識別して高レベルあるいは低レベルの受光信号を制御部３２へ出力する。制御部３２は、受光部３１から送られてくる受光信号を解析し、その解析結果に基づいてレーザ送信装置４０のレーザ光線発射部４１ａ〜４１ｃに発射信号を出力する。このとき制御部３２は、例えば電子ブザー、ＬＥＤ等を駆動し、被弾したことを音及び光により通知する。
【００１９】
今、受光部３１から高レベルの受光信号が出力されたとすると、制御部３２は、レーザ送信装置４０の全てのレーザ光線発射部４１ａ〜４１ｃへ発射信号を送り、各レーザ光線発射部４１ａ〜４１ｃからレーザ光線を発射させる。
【００２０】
また、受光部３１から低レベルの受光信号が出力された場合には、制御部３２は、レーザ光線発射部４１ａ〜４１ｃの何れか１箇所へ発射信号を送り、レーザ光線を発射させる。上記レーザ光線発射部４１ａ〜４１ｃは、制御部３２から発射信号が与えられた際、レーザ光線を発射すると同時に電子ブザー等を駆動し、レーザ光線が発射されたことを音により通知する。
【００２１】
上記レーザ光線発射部４１ａ〜４１ｃから発射されたレーザ光線は、建物５０内に配置されている人の受光器よって受光される。各受光器は、レーザ光線を受光した際、例えばＬＥＤを発光駆動すると共に電子ブザーを駆動し、光や音等により被弾したことによる損害の程度を模擬する。
【００２２】
上記のようにレーザ受信装置３０が高レベルのレーザ光線を受光した場合には、建物５０の損害が大きいとみなし、制御部３２から全てのレーザ光線発射部４１ａ〜４１ｃに発射信号を送り、各レーザ光線発射部４１ａ〜４１ｃからレーザ光線を発射させることにより、建物５０内のより多くの人の受光器にレーザ光線を受光させて被害が大きいことを模擬している。
【００２３】
また、レーザ受信装置３０が低レベルのレーザ光線を受光した場合には、建物５０への被害が少ないとみなし、レーザ光線発射部４１ａ〜４１ｃの何れか１箇所へ発射信号を送ってレーザ光線を発射させる。この場合には、建物５０内における人の受光器にレーザ光線が入射する確率が低くなり、仮想の被害が少ないことを模擬することができる。
【００２４】
この結果、建物５０にロケット弾を受けた際の建物５０内に居る人の被害状況を仮想的に示すことができる。また、建物５０内に居る人の数を増減することによって、異なる条件における被害状況を仮想的に示すことができる。
【００２５】
なお、上記実施形態では、レーザ送信装置４０に３個のレーザ光線発射部４１ａ〜４１ｃを設けた場合について示したが、レーザ光線発射部４１ａ、４１ｂ、…の数は任意に設定し得るものである。
【００２６】
また、上記実施形態では、レーザ受信装置３０の受光部３１及び制御部３２において、高レベルと低レベルの２種類のレーザ光線を識別してレーザ光線発射部４１ａ〜４１ｃを制御する場合について示したが、更に３種類以上のレーザ光線を識別し、その識別結果に応じてレーザ光線発射部４１ａ、４１ｂ、…を制御するようにしても良い。
【００２７】
また、上記実施形態では、建物５０内に受光器を所持した人を配置した場合について示したが、受光器のみを建物５０内の任意の位置に配置するようにしても良い。
【００２８】
また、上記実施形態では、外部に設けられたレーザ送信装置からロケット弾を模擬したレベルの異なるレーザ光線をレーザ受信装置３０に発射するようにしたが、その他、例えば上記レーザ送信装置からレーザ受信装置３０に発射するレーザ光線に銃器の種類を示す情報を付加し、制御部３２により受信データ中の銃器情報を解析して、例えば大きな銃器からのレーザ受光（高レベル）であるか、小さな銃器からのレーザ受光であるかを判断してレーザ送信装置４０におけるレーザ光線発射部４１ａ、４１ｂ、…の発射箇所や発射個数を制御するようにしても良い。
【００２９】
また、本発明は、上記実施形態そのままに限定されるものではなく、実施段階ではその要旨を逸脱しない範囲で構成要素を変形して具体化できるものである。
【図面の簡単な説明】
【００３０】
【図１】本発明の一実施形態に係るレーザ送受信装置の構成を示すブロック図である。
【図２】従来のレーザ送受信装置の構成を示すブロック図である。
【符号の説明】
【００３１】
３０…レーザ受信装置、３１…レーザ受信装置の受光部、３２…レーザ受信装置の制御部、４０…レーザ送信装置、４１ａ〜４１ｃ…レーザ送信装置のレーザ光線発射部、５０…建物。
【図１】
2007212087.tif 000003
【図２】
2007212087.tif 000004